(57)【要約】【課題】光学式情報記録媒体に情報信号を記録再生する光ピックアップの半導体レーザ素子から発生する熱によって、半導体レーザ素子の劣化が生じ、特に高出力半導体レーザ素子を用いる高密度記録の薄型、小型の装置においては、発熱量が大きいため、その放熱対策が課題となっている。【解決手段】光学式情報記録媒体に情報信号を記録再生するための光ピックアップを移動可能に支持する支持手段に通風孔を設けることにより、前記光学式情報記録媒体の回転による空気の旋回流により発生する前記通風孔を通る空気の対流によって光ピックアップの半導体レーザ素子が発熱する熱を効果的に放熱する。また、前記通風孔を通して光ディスクドライブユニットの内部が見えないようにして品位を良好にする。【選択図】図３
2005310192.tif 000002
【特許請求の範囲】
【請求項１】
光学式情報記録媒体に情報信号を記録再生するための半導体レーザ素子を有する光ピックアップと、前記光学式情報記録媒体を回転させる回転手段と、前記光ピックアップを移動可能に支持する支持手段を備え、前記支持手段に通風孔を設け、前記光学式情報記録媒体の回転による空気の旋回流により発生する前記支持手段に設けた通風孔を通る空気の対流によって前記光ピックアップを放熱冷却するようにしたことを特徴とする光学式情報記録再生装置。
【請求項２】
前記支持手段に設けた通風孔は複数個からなることを特徴とする請求項１に記載の光学式情報記録再生装置。
【請求項３】
通風孔は円形状、多角形状、半円形状からなることを特徴とする請求項１乃至請求項２のいずれかに記載の光学式情報記録再生装置。
【請求項４】
通風孔は光学式情報記録媒体の回転方向に略略沿う円弧状で細長い溝状のスリットからなることを特徴とする請求項１乃至請求項２のいずれかに記載の光学式情報記録再生装置。
【請求項５】
前記支持手段は略Ｕ字状からなり、通風孔は前記支持手段の少なくとも１つの直線部に設けたことを特徴とする請求項１乃至請求項４のいずれかに記載の光学式情報記録再生装置。
【請求項６】
前記通風孔は前記光ピックアップの移動範囲に略対応する範囲の直線部に設けたことを特徴とする請求項５に記載の光学式情報記録再生装置。
【請求項７】
前記支持手段に突部を形成し、その突部の頂部に通風孔を設け、前記突部の頂部が光学式情報記録媒体に対面するように支持手段を配したことを特徴とする請求項１乃至請求項６のいずれかに記載の光学式情報記録再生装置。
【請求項８】
請求項１乃至請求項７のいずれかに記載の光学式情報記録再生装置を内蔵したことを特徴とするパーソナルコンピュータ等の電子機器。
【請求項９】
光学式情報記録媒体に情報信号を記録再生するための半導体レーザ素子を有する光ピックアップと、前記光学式情報記録媒体を回転させる回転手段と、前記光ピックアップを移動可能に支持する支持手段を備え、前記支持手段に通風孔を設け、前記通風孔の一辺を折り曲げ線としてその支持手段から下方に突出傾斜する舌片を形成し、前記光学式情報記録媒体の回転による空気の旋回流により発生する前記支持手段に設けた通風孔を通る空気の対流によって前記光ピックアップを放熱冷却するようにした光学式情報記録再生装置を内蔵する電子機器であって、前記舌片の先端が電子機器の前方に向くように配置したことを特徴とするパーソナルコンピュータ等の電子機器。
【請求項１０】
前記支持手段に設けた通風孔は複数個からなることを特徴とする請求項９に記載のパーソナルコンピュータ等の電子機器。
【請求項１１】
前記支持手段は略Ｕ字状からなり、通風孔は前記支持手段の少なくとも１つの直線部に設けたことを特徴とする請求項９乃至請求項１０のいずれかに記載のパーソナルコンピュータ等の電子機器。
【請求項１２】
前記通風孔は前記光ピックアップの移動範囲に略対応する範囲の直線部に設けたことを特徴とする請求項１１に記載のパーソナルコンピュータ等の電子機器。
【請求項１３】
光学式情報記録媒体に情報信号を記録再生するための半導体レーザ素子を有する光ピックアップと、前記光学式情報記録媒体を回転させる回転手段と、前記光ピックアップを移動可能に支持する支持手段と、前記支持手段に通風孔を設け、前記光学式情報記録媒体の回転による空気の旋回流により発生する前記支持手段に設けた通風孔を通る空気の対流によって前記光ピックアップを放熱冷却するようにした光ディスクドライブユニットを内蔵し、前記光ディスクドライブユニットへの光学式情報記録媒体の着脱時に開ける開閉蓋と、前記支持手段に設けた通風孔を開閉する開閉手段と、前記開閉蓋の開閉動作に連動して前記開閉手段を移動させる移動手段を設け、前記開閉蓋の開状態では前記開閉手段は通風孔を閉じ、かつ開閉蓋の閉状態では前記開閉手段は通風孔を開くようにその開閉手段が前記移動手段により移動されるように構成したことを特徴とする光学式情報記録再生装置またはパーソナルコンピュータ等の電子機器。
【請求項１４】
開閉手段は開閉蓋の初期の開動作により通風孔を閉じ、開閉蓋の閉動作の後期に通風孔を開けるように移動手段によって移動されることを特徴とする請求項１３に記載の光学式情報記録再生装置またはパーソナルコンピュータ等の電子機器。
【請求項１５】
光学式情報記録媒体に情報信号を記録再生するための半導体レーザ素子を有する光ピックアップと、前記光学式情報記録媒体を回転させる回転手段と、前記光ピックアップを移動可能に支持する支持手段と、前記支持手段に設けた通風孔と、前記通風孔を開閉する開閉手段を備え、前記光学式情報記録媒体の回転による空気の旋回流により発生する前記支持手段に設けた通風孔を通る空気の対流によって前記光ピックアップを放熱冷却する光ディスクドライブユニットを内蔵する電子機器であって、前記光ディスクドライブユニットは光学式情報記録媒体の着脱時に前記電子機器から突出移動されるように構成し、前記光ディスクドライブユニットの移動に連動して
前記開閉手段を移動させる移動手段を設け、前記光ディスクドライブユニットが電子機器から突出した状態では前記開閉手段は通風孔を閉じ、かつ光ディスクドライブユニットが電子機器に収納移動された状態では前記開閉手段は通風孔を開くように移動手段により移動されるように構成したことを特徴とするパーソナルコンピュータ等の電子機器。
【請求項１６】
前記支持手段は略Ｕ字状からなり、通風孔は前記支持手段の少なくとも１つの直線部に設けたことを特徴とする請求項１３乃至請求項１５のいずれかに記載の光学式情報記録再生装置またはパーソナルコンピュータ等の電子機器。
【請求項１７】
前記通風孔は前記光ピックアップの移動範囲に略対応する範囲の直線部に設けたことを特徴とする請求項１６に記載の光学式情報記録再生装置またはパーソナルコンピュータ等の電子機器。
【発明の詳細な説明】
【技術分野】
【０００１】
本発明は、光ディスク等の光学式情報記録媒体に情報信号を記録もしくは再生するための光ピックアップを備えた光学式情報記録再生装置及びパーソナルコンピュータ等の電子機器に関するものである。
【背景技術】
【０００２】
光ディスク等の光学式情報記録媒体にオーディオ信号、文字信号、映像信号等のデジタル信号を記録再生する装置においては、半導体レーザ素子から放射される光束を対物レンズによって情報記録媒体の信号記録面に照射し、記録マークをその情報記録媒体に附すことにより情報信号の記録を行ない、一方、前記信号記録面からの反射光束を光検出器で受光することにより情報信号を読み出し、再生を行うようになっている。
【０００３】
情報記録媒体への情報信号の記録及び又は再生を高速度で行うためには、高出力の半導体レーザ素子が必要であり、特に、近年情報記録媒体の高密度記録化が進むにつれて高速で情報信号を記録し、また、再生を行う必要があることから、半導体レーザ素子は高出力のものが要求されるようになってきている。
【０００４】
そして、前記半導体レーザ素子の高出力化に伴ってそのレーザ発振時に発生する熱量が非常に大きくなっている。例えば、現在光ピックアップに使用されている半導体レーザ素子の場合、発振時の温度は８０〜９０゜Ｃ程度に達しており、これは光ディスクドライブユニットの小型化、高密度化或いはその光ディスクドライブユニットを使用する使用環境によっては、半導体レーザ素子の温度がさらに高温になる。例えば、薄型の携帯型パーソナルコンピュータに内蔵された光ディスクドライブユニットは高密度実装により、殆ど密閉空間となっており、このためその光ディスクドライブユニットに備えられている光ピックアップはその動作環境が極めて高温条件下に置かれる。
【０００５】
ところで、半導体レーザ素子は、動作温度が高温になるとレーザ出力が減少することが知られており、したがって、レーザ素子の動作温度が高くなればその分駆動電流を増大させざるを得ず、このためレーザ素子は高温による劣化に加えて、駆動電流の増大による劣化が加わり、素子寿命が短くなるという課題がある。また、光ピックアップにおいて、光学部品と光軸調整用のホルダーが接着剤で接着固定されている場合には、高温により接着剤が軟化してその固定位置が変化し、光学部品の性能や品質が劣化するというおそれもある。
【０００６】
このように、光ディスクドライブユニットの小型化と半導体レーザ素子の高出力化に伴って、光ピックアップを構成する半導体レーザ素子から発生する熱を如何に放熱するかは極めて重要な課題になってきている。
【０００７】
上記の課題に対して、例えば特許文献１には、半導体レーザ素子が発生する熱を放熱するための放熱板を、半導体レーザ素子、受光素子、プリズム、レンズ等からなる光学部品を収納した可動ボビンに一体に成型したものが記載されており、又、特許文献２には、光学ピックアップ本体を合成樹脂で成形するに際し、そのレーザーカプラー取付部に放熱板を一体的にインサート成形し、そのインサート成形された放熱板に対して、予め作製されたレーザーカプラーを固定することにより、発光素子の発熱によるレーザーカプラーの熱を前記放熱板により外部へ放熱し、自己の発熱温度を低減させるようにしたものが開示されている。
【０００８】
しかしながら、上記特許文献１及び２に開示されている方法は、放熱板を別途用意し、これを組み込むようにしたものであるから、光ピックアップの製造工程における工数が増加し、又、放熱板を必要とするために部品数が増加し、コストがアップする。          
【０００９】
又、特許文献２には、発光素子を有する集積光学素子を実装したフレキシブル基板を、金属又は熱伝導性を有する材料により形成された光ピックアップのカバーに熱的に接続することで発熱源の熱を外部へ伝達し、自己の発熱を低減させるようにしたものが開示されている。しかしながら、この方法においても、光ピックアップのカバーは熱容量及び熱放射の面積が限られているため、特許文献１に開示のものと同様に、高出力の半導体レーザ素子を有する光ピックアップから出る熱を効果的に放熱して自己の発熱温度を低減させるには不充分である。
【００１０】
特に、薄型の携帯型パーソナルコンピュータに内蔵された薄型の光ディスクドライブユニットにおいては光ピックアップの支持板によって空気の対流が遮られるような構成となるため、光ピックアップから出る熱は、熱源である半導体レーザ素子の近傍から移動しにくい形状にあり、したがってその効果的な熱対策が課題となっている。
【特許文献１】特開平８―２８７４９９号公報
【特許文献２】特開平１１―１６２０２号公報
【発明の開示】
【発明が解決しようとする課題】
【００１１】
本発明は、光ピックアップが備える半導体レーザ素子から発生する熱を効果的に放熱し、その半導体レーザ素子の発熱温度を低減させるようにしたものであり、小型で薄型の装置において、発熱量の大きい高出力の半導体レーザ素子を備える光ピックアップの低熱に最適な装置を提供するものである。
【課題を解決するための手段】
【００１２】
本発明は、光学式情報記録媒体に情報信号を記録再生するための半導体レーザ素子を有する光ピックアップと、前記光学式情報記録媒体を回転させる回転手段と、前記光ピックアップを移動可能に支持する支持手段を備え、前記支持手段に通風孔を設け、前記光学式情報記録媒体の回転による空気の旋回流により発生する前記支持手段に設けた通風孔を通る空気の対流によって前記光ピックアップを放熱冷却するようにしたことを特徴とする光学式情報記録再生装置である。
【００１３】
また、前記支持手段に設けた通風孔は複数個からなることを特徴とする光学式情報記録再生装置である。
【００１４】
また、通風孔は円形状、多角形状、半円形状からなることを特徴とする光学式情報記録再生装置である。
【００１５】
また、通風孔は光学式情報記録媒体の回転方向に略略沿う円弧状で細長い溝状のスリットからなることを特徴とする光学式情報記録再生装置である。
【００１６】
また、前記支持手段は略Ｕ字状からなり、通風孔は前記支持手段の少なくとも１つの直線部に設けたことを特徴とする光学式情報記録再生装置である。
【００１７】
また、前記通風孔は前記光ピックアップの移動範囲に略対応する範囲の直線部に設けたことを特徴とする光学式情報記録再生装置である。
【００１８】
また、前記支持手段に突部を形成し、その突部の頂部に通風孔を設け、前記突部の頂部が光学式情報記録媒体に対面するように支持手段を配したことを特徴とする光学式情報記録再生装置である。
【００１９】
さらに、上記光学式情報記録再生装置を内蔵したことを特徴とするパーソナルコンピュータ等の電子機器である。
【００２０】
また、光学式情報記録媒体に情報信号を記録再生するための半導体レーザ素子を有する光ピックアップと、前記光学式情報記録媒体を回転させる回転手段と、前記光ピックアップを移動可能に支持する支持手段を備え、前記支持手段に通風孔を設け、前記通風孔の一辺を折り曲げ線としてその支持手段から下方に突出傾斜する舌片を形成し、前記光学式情報記録媒体の回転による空気の旋回流により発生する前記支持手段に設けた通風孔を通る空気の対流によって前記光ピックアップを放熱冷却するようにした光学式情報記録再生装置を内蔵する電子機器であって、前記舌片の先端が電子機器の前方に向くように配置したことを特徴とするパーソナルコンピュータ等の電子機器である。
【００２１】
また、前記支持手段に設けた通風孔は複数個からなることを特徴とするパーソナルコンピュータ等の電子機器である。
【００２２】
また、前記支持手段は略Ｕ字状からなり、通風孔は前記支持手段の少なくとも１つの直線部に設けたことを特徴とするパーソナルコンピュータ等の電子機器である。
【００２３】
前記通風孔は前記光ピックアップの移動範囲に略対応する直線部に設けたことを特徴とするパーソナルコンピュータ等の電子機器である。
【００２４】
また、光学式情報記録媒体に情報信号を記録再生するための半導体レーザ素子を有する光ピックアップと、前記光学式情報記録媒体を回転させる回転手段と、前記光ピックアップを移動可能に支持する支持手段と、前記支持手段に通風孔を設け、前記光学式情報記録媒体の回転による空気の旋回流により発生する前記支持手段に設けた通風孔を通る空気の対流によって前記光ピックアップを放熱冷却するようにした光ディスクドライブユニットを内蔵し、前記光ディスクドライブユニットへの光学式情報記録媒体の着脱時に開ける開閉蓋と、前記支持手段に設けた通風孔を開閉する開閉手段と、前記開閉蓋の開閉動作に連動して前記開閉手段を移動させる移動手段を設け、前記開閉蓋の開状態では前記開閉手段は通風孔を閉じ、かつ開閉蓋の閉状態では前記開閉手段は通風孔を開くようにその開閉手段が前記移動手段により移動されるように構成したことを特徴とする光学式情報記録再生装置またはパーソナルコンピュータ等の電子機器である。
【００２５】
また、開閉手段は開閉蓋の初期の開動作により通風孔を閉じ、開閉蓋の閉動作の後期に通風孔を開けるように移動手段によって移動されることを特徴とする光学式情報記録再生装置またはパーソナルコンピュータ等の電子機器である。
【００２６】
また、光学式情報記録媒体に情報信号を記録再生するための半導体レーザ素子を有する光ピックアップと、前記光学式情報記録媒体を回転させる回転手段と、前記光ピックアップを移動可能に支持する支持手段と、前記支持手段に設けた通風孔と、前記通風孔を開閉する開閉手段を備え、前記光学式情報記録媒体の回転による空気の旋回流により発生する前記支持手段に設けた通風孔を通る空気の対流によって前記光ピックアップを放熱冷却する光ディスクドライブユニットを内蔵する電子機器であって、前記光ディスクドライブユニットは光学式情報記録媒体の着脱時に前記電子機器から突出移動されるように構成し、前記光ディスクドライブユニットの移動に連動して前記開閉手段を移動させる移動手段を設け、前記光ディスクドライブユニットが電子機器から突出した状態では前記開閉手段は通風孔を閉じ、かつ光ディスクドライブユニットが電子機器に収納移動された状態では前記開閉手段は通風孔を開くように移動手段により移動されるように構成したことを特徴とするパーソナルコンピュータ等の電子機器である。
【００２７】
また、前記支持手段は略Ｕ字状からなり、通風孔は前記支持手段の少なくとも１つの直線部に設けたことを特徴とする光学式情報記録再生装置またはパーソナルコンピュータ等の電子機器である。
【００２８】
また、前記通風孔は前記光ピックアップの移動範囲に略対応する範囲の直線部に設けたことを特徴とする光学式情報記録再生装置またはパーソナルコンピュータ等の電子機器である。
【発明の効果】
【００２９】
本発明によれば、光ピックアップに備えられた半導体レーザ素子が発生する熱を、光学式情報記録媒体の回転による空気の旋回流を利用して効果的に放熱することができるものであり、これは冷却ファンやその他の専用の放熱用部材等を用いることなく、光ピックアップを支持する支持手段に通風孔を設けるという簡単な構成であるため、光学式情報記録再生装置やこれを組み込むパーソナルコンピュータ等の電子機器の小型化、軽量化が可能となる。
【００３０】
そして、光ピックアップの支持手段に設けた通風孔の一辺から舌片を設けること、あるいは開閉手段により光ディスクの着脱時は通風孔を閉じるようにすることによって、使用者等から光学式情報記録再生装置の内部が遮蔽されるため、品位のよい装置や機器が得られるものである。
【発明を実施するための最良の形態】
【００３１】
以下、本発明の実施の形態について、電子機器としてパーソナルコンピュータを例にとって図面を用いて説明する。
【００３２】
（実施例１）
まず、本発明の実施例１に係る光学式情報記録再生装置及びパーソナルコンピュータについて、図１から図５を用いて説明する。
【００３３】
図１は光学式情報記録再生装置を搭載したパーソナルコンピュータの概略斜視図であり、図２は光ディスクドライブユニット部の開閉蓋を開けた状態の概略斜視図である。１はパーソナルコンピュータ本体（以下、ＰＣ本体という）、２は液晶ディスプレイ等からなる表示部、３はキーボード、４はＰＣ本体１に内蔵された光ディスクドライブユニット５への光ディスクの着脱時に開ける開閉蓋である。
【００３４】
前記光ディスクドライブユニット５はＰＣ本体１の前方左に配置されており、通常時や使用時はＰＣ本体１の上面板１ａに回動可能に取付けられた開閉蓋４が閉じられ、これが手で開けられた状態において光ディスク６（光学式情報記録再生媒体）が着脱可能となっている。
【００３５】
前記光ディスクドライブユニット５は、その概略を図３に示すように、光ディスク６をターンテーブル７上に固定し、かつこれを回転させるためのターンテーブル７と一体のディスクチャック８、そのターンテーブル７上に固定された光ディスク６を回転させるモータ９、光ピックアップ１０、その光ピックアップ１０を支持する略Ｕ字形状の支持板１１（支持手段）等で構成されており、ＰＣ本体１の側板１ｂ、底板１ｃ、内板１ｄ及び上記開閉蓋４により略密閉された空間内に配置され、底板１ｃ等に取付けられている。
【００３６】
図４に示すように、前記略Ｕ字形状の支持板１１の円弧部１１ａはターンテーブル７と同心的に配置され、かつその直線部１１ｂ、１１ｃはＰＣ本体１の前方左隅部に向かって光ディスク６の半径方向に延びるように配置されている。前記支持板１１の直線部１１ｂ、１１ｃの下部には２本のシャフト１２、１３が平行に取付けられており、このシャフト１２、１３に前記光ピックアップ１０の両端部が嵌合され、かつ外周に螺子が形成された一方のシャフト１２が支持板１１に取付けられたモータ１４により回転されることによってこの光ピックアップ１０の光ディスク６との対面部は前記支持板１１の直線部１１ｂ、１１ｃの間の空間部を光ディスク６の半径方向に移動されるようになっている。
【００３７】
前記光ディスク６にオーディオ信号、文字信号、データ信号、映像信号等のデジタル信号を記録再生する光ピックアップ１０は、図５に示すように半導体レーザ素子１５から発振されたレーザ光が光学ユニット部１６を経由して、アクチュエーター１７に装着されている光学レンズ１８から光ディスク６に照射されることにより記録が行われ、また反射光が光学ユニット部１６に戻り、受光素子１９にて検出されることにより記録信号の再生が行われるようになっている。
【００３８】
なお、上記のデジタル信号の記録再生において、光ディスク６の面振れや半径方向への変位によりトラック振れが発生した場合、受光素子１９で感知された情報信号に応じてアクチュエーター１７をフォーカスもしくはトラック方向に制御することによって、光ディスク６の記録再生トラックに安定したデジタル信号の記録再生が行われる。
【００３９】
前記光ディスク６への記録再生時、光源である半導体レーザ素子１５は光ディスク６へのレーザ光の照射に伴い大量の熱を発生し、その熱は光ピックアップ１０を構成する構成部材を通して放熱されるが、特に高密度記録が可能な光ディスクにおいては半導体レーザ素子１５の高出力化に伴ってそのレーザ発振時に発生する熱量が非常に大きくなる。
【００４０】
このため、光ピックアップ１０を支持している支持板１１の少なくとも直線部１１ｂ、１１ｃにそれぞれマトリクス状に配列した複数個の円形状の通風孔２０、２１を設けている。そして、直線部１１ｂと１１ｃに設けられている各通風孔２０、２１の一方向の列は光ピックアップ１０の移動距離に略対応する範囲に亘って配列され、また、他方の列はそれぞれ光ディスク６の記録再生トラックに対して接線をなす直線上に配列されている。  
【００４１】
上記のように、支持板１１に複数個の通風孔２０、２１を設けることにより、光ディスク６が図４に示すように、例えば矢印Ａ方向に回転されると、その光ディスク６の回転による旋回流が発生し、この旋回流により通風孔２０、２１を通る空気の強制対流Ｐが発生し、この空気の対流が光ピックアップ１０の熱を放熱して冷却し、その光ピックアップ１０が具備する半導体レーザ素子１５が冷却されるため、これの発熱温度を低減することができる。
【００４２】
上記光ディスク６の回転に伴って発生する旋回流は、その光ディスク６と支持板１１との間の極く僅かの間隙の気圧変化により発生し、通風孔２０、２１を通る空気の対流は基本的には支持板１１の下方から光ディスク６とその支持板１１との間を通って光ディスク６の外方に流れる。なお、この空気の対流は下記する各実施例においても光ピックアップ１０の移動位置やその他の要因により、例えば光ディスク６と支持板１１との間からその支持板１１の下方に流れる状態もあるものと考えられる。
【００４３】
上記いずれの空気の対流においても、略密閉状態にある空間に置かれた光ディスクドライブユニット５において、光ディスク６の回転による旋回流によって、支持板１１に設けた通風孔２０、２１を通して光ピックアップ１０の半導体レーザ素子１５によって暖められた高温空気は強制的に流動し、このため光ピックアップ１０、半導体レーザ素子１５は効果的に冷却されるものである。
【００４４】
したがって、上記のように薄型の携帯型パーソナルコンピュータに内蔵された光ディスクドライブユニットのように高密度実装で、かつ、殆ど密閉空間に置かれた光ディスクドライブユニットの光ピックアップの放熱を冷却ファン等の特別な構成を採ることなく簡単に行うことができる。もちろん光ピックアップ１０に放熱板を備えているものであれば、より効果的な放熱が行われる。
【００４５】
ここで、上記のように支持板１１に通風孔２０、２１が設けられていない光ディスクドライブユニットが、殆ど密閉空間に置かれた場合、半導体レーザ素子の発熱による高温空気が支持板の下方の空間に滞り、その半導体レーザ素子の温度が高温度になってレーザ出力が減少し、その分駆動電流を増大させることによる劣化によって、素子寿命が短くなるという課題は、支持板に通風孔を設けるという簡単な構成でもって解消される。
【００４６】
（実施例２）
図６は本発明の実施例２に係る支持板１１を示すもので、この実施例２は支持板１１の直線部１１ｂ、１１ｃにそれぞれ１個の長方形状の通風孔２０、２１を設け、その通風孔２０、２１の長手方向を光ピックアップ１０の移動方向に配したもので、これによっても上記実施例１に説明したものと同様に光ディスクの回転による旋回流によって、支持板１１に設けた通風孔２０、２１を通して光ピックアップ１０の半導体レーザ素子１５によって暖められた高温空気は強制対流し、このため光ピックアップ１０の熱は放熱され、半導体レーザ素子１５は効果的に冷却されるものである。なお、上記実施例１と同様に７はターンテーブルであり、８はこれと一体のディスクチャックである。
【００４７】
（実施例３）
図７は本発明の実施例３に係る支持板１１を示すもので、その直線部１１ｂ、１１ｃにそれぞれ設けた複数の通風孔２０、２１を長方形状とし、その長手方向をそれぞれ光ディスク６の記録再生トラックに対して接線をなす直線方向に配したもので、これによっても上記実施例１に説明したものと同様であり、その説明は省略する。なお、上記実施例１と同様に７はターンテーブルであり、８はこれと一体のディスクチャックである。
【００４８】
（実施例４）
図８は本発明の実施例４に係る支持板１１を示すもので、これに設けた複数の通風孔２０、２１を半円形状とし、その直線部を光ディスクの記録再生トラックに対して接線をなす直線方向に配したもので、これによっても上記実施例１に説明したものと同様であり、その説明は省略する。なお、上記実施例１と同様に７はターンテーブルであり、８はこれと一体のディスクチャックである。
【００４９】
（実施例５）
図９は本発明の実施例５に係る支持板１１を示すもので、各直線部１１ｂ、１１ｃにそれぞれ複数本の細長い溝状の通風孔２０、２１を光ディスクの記録再生トラックに対して接線をなす直線方向に配したもので、これによっても上記実施例１から実施例４に説明したものと同様に光ディスクの回転による旋回流によって、支持板１１に設けた通風孔２０、２１を通して光ピックアップの半導体レーザ素子によって暖められた高温空気は強制対流し、このため光ピックアップ、半導体レーザ素子は効果的に冷却されるものである。なお、上記実施例１と同様に７はターンテーブルであり、８はこれと一体のディスクチャックである。
【００５０】
（実施例６）
図１０は本発明の実施例６に係る支持板１１を示すもので、複数の通風孔２０、２１を円弧状で細長い溝状のスリットにより形成し、そして、この円弧状のスリットは光ディスク６の回転方向に略略沿うように配置されている。このような円弧状のスリットによっても、上記各実施例に説明したものと同様に光ディスク６の回転による旋回流によって、支持板１１に設けた通風孔２０、２１を通して光ピックアップの半導体レーザ素子によって暖められた高温空気は強制対流し、このため光ピックアップ、半導体レーザ素子は効果的に冷却されるものである。なお、この円弧状のスリットの幅及び長さは特に限定されない。また、このスリットの数は直線部１１ｂ、１１ｃに１つづつ、あるいはいずれか一方の直線部のみに１つ設けても同様である。この実施例においても上記実施例１と同様に、７はターンテーブルであり、８はこれと一体のディスクチャックである。
【００５１】
上記実施例２、３、４、５、６において、各図示した部分以外のその他の構成は実施例１と同様であり、したがってこれを援用し、説明等は省略する。
【００５２】
（実施例７）
図１１は本発明の実施例７に係るＰＣ本体内に内蔵された光ディスクドライブユニットを示す略断面図であり、上記実施例１にて説明した光ディスクドライブユニット等と同一構成部分には同一符号を附してその説明を省略し、異なる部分について説明する。
【００５３】
支持板１１の直線部１１ｂ、１１ｃには複数個の台形状の突部２２、２３がそれぞれ金型によるエンボス加工により形成され、その各突部２２、２３の頂部に通風孔２０、２１をそれぞれ形成したものである。そして、前記突部２２、２３の頂部が光ディスク６と対面するように支持板１１を配置した構成となっている。なお、複数の通風孔２０、２１の配列は上記実施例１の通風孔の配列と同様である。
【００５４】
これによれば、光ディスク６と支持板１１の通風孔２０、２１との間の間隔が突部２２、２３によって狭まることにより光ディスク６の回転による旋回流でベルヌーイ効果が生じ、光ディスク６と支持板１１との間の気圧の低下が大きくなり、その結果支持板１１の下側の空気が各通風孔２０、２１を通って光ディスク６側に流れ、光ピックアップ１０の周辺の高温空気が強制対流し、その光ピックアップ１０のより効果的な放熱が行われる。
【００５５】
以上の各実施例において、通風孔２０、２１の形状は、各図示した形状の組み合わせからなるものであってもよく、また、例えば楕円状、三角形状等の他の多角形状、菱形状等、その他の形状であっても、さらにこれらの組み合わせからなるものでも同様であり、また、その通風孔の数も限定されない。
【００５６】
また、実施例１、３、４、５、６、７において、支持板１１の直線部１１ｂ、１１ｃに、それぞれ図示した形状あるいは例えば楕円状、三角形状等の他の多角形状、菱形状等の形状の１つの通風孔を設けたものでも同様であり、さらに上記各実施例において、一方の直線部、例えば直線部１１ｂのみに１つまたは複数個の通風孔を設けたものであっても同様に光ディスクの回転による旋回流によって、支持板に設けた通風孔を通して光ピックアップの半導体レーザ素子によって暖められた高温空気は強制対流し、このため光ピックアップ、半導体レーザ素子は効果的に冷却されるものである。
【００５７】
（実施例８）
次に、本発明の実施例８について、図１２、図１３を用いて説明する。これらの図において、上記実施例１から実施例７で説明した構成部分と同一構成部分には同一符号が附してあり、その説明は省略する。
【００５８】
この実施例８は、支持板１１の直線部１１ｂ、１１ｃに設けられた長方形状の通風孔２０、２１の一辺を折り曲げ線２４ａ、２５ａとしてその支持板１１から下方に突出傾斜する舌片２４、２５を一体に形成したものである。この舌片２４、２５の形成は、支持板１１に複数個のコ字状の切り込み部の形成により長方形状の舌片２４、２５を設け、かつそれぞれの舌片２４、２５の根元部でこれらを下方に折り曲げてそれぞれの舌片２４、２５を下方に突出傾斜させている。そして、前記各舌片２４、２５の折り曲げ線２４ａ、２５ａはＰＣ本体１の前方稜線１ｅと略平行になるように前記切り込み部が形成され、これにより各舌片２４、２５の先端はＰＣ本体１の前方に向くように位置している。
【００５９】
このように構成することにより、光ディスク６の回転による旋回流により上記各実施例のものと同様に光ディスク６と支持板１１との間の気圧が低下し、その結果支持板１１の下側の空気が各通風孔２０、２１を通って光ディスク６側に流れ、光ピックアップ１０の周辺の高温空気が強制対流して光ピックアップ１０、半導体レーザ素子１５の効果的な放熱が行われる。
【００６０】
ここで、上記各舌片２４、２５の先端がＰＣ本体１の前方に向いた状態でその舌片２４、２５を下方に傾斜させたことにより、図１２に矢印Ｑで示すようにＰＣ本体１の使用者の目視方向からは各通風孔２０、２１は舌片２４、２５によって実質的に塞がれたような状態に見えるため、その各通風孔２０、２１を通して光ディスクドライブユニット５の内部が遮蔽状態となる。これはＰＣの使用者が光ディスク６を光ディスクドライブユニット５に着脱する際に、ＰＣ本体１の開閉蓋４を開けた時、各通風孔２０、２１を通して光ディスクドライブユニット５の内部の構成部材、例えば支持板１１の下方に位置するシャフト１２、１３、光ピックアップ１０の一部等が使用者に見えることがないため、品位のよい製品が得られるものである。
【００６１】
（実施例９）
図１４は本発明の実施例９に係る支持板１１部を示すもので、これは支持板１１の舌片と通風孔の形状を半円形状に形成したものである。なお、この図１４において、上記実施例８で説明したものと同一構成部分には同一符号を附し、その説明は省略する。
【００６２】
この実施例９においても下方に突出傾斜された各半円形状の舌片２４、２５の折り曲げ線２４ａ、２５ａはＰＣ本体１の前方稜線１ｅと略平行になるように配置され、その舌片２４、２５の先端はＰＣ本体１の前方に向いている。このような構成であっても上記の実施例と同様に光ディスク６の回転によりその光ディスク６と支持板１１との間の気圧が低下し、その結果支持板１１の下側の空気が各複数の通風孔２０、２１を通って光ディスク６側に流れ、光ピックアップ１０の周辺の高温空気が強制対流して光ピックアップ１０、半導体レーザ素子１５の効果的な放熱が行われる。また、ＰＣ本体１の使用者から各通風孔２０、２１を通して光ディスクドライブユニット５の内部が舌片２４、２５により遮蔽状態となるため、品位のよい製品が得られるものである。
【００６３】
（実施例１０）
図１５は本発明の実施例１０に係る支持板１１部を示すもので、これは支持板１１の舌片と通風孔の形状を細長い溝状に形成したものである。なお、この図１５において、上記実施例８で説明したものと同一構成部分には同一符号を附し、その説明は省略する。
【００６４】
この実施例１０においても下方に突出傾斜された舌片２４、２５の折り曲げ線２４ａ、２５ａはＰＣ本体１の前方稜線１ｅと略平行になるように配置され、その舌片２４、２５の先端はＰＣ本体１の前方に向いている。このような構成であっても上記の実施例８及び９と同様に光ディスク６の回転によりその光ディスク６と支持板１１との間の気圧が低下し、その結果支持板１１の下側の空気が各通風孔２０、２１を通って光ディスク６側に流れ、光ピックアップ１０の周辺の高温空気が強制対流して光ピックアップ１０、半導体レーザ素子１５の効果的な放熱が行われる。また、ＰＣ本体１の使用者から各通風孔２０、２１を通して光ディスクドライブユニット５の内部が舌片２４、２５により遮蔽状態となるため、品位のよい製品が得られるものである。
【００６５】
（実施例１１）
図１６は本発明の実施例１１に係るＰＣ本体１に内蔵された光ディスクドライブユニット部を示すもので、上記図１２、図１３を用いて説明した実施例８と同一構成部分には同一符号が附してあり、その説明は省略する。この実施例１１が実施例８と異なる部分について説明すると、この実施例１１は支持板１１の直線部１１ｂ、１１ｃがＰＣ本体１の前方稜線１ｅに対して直交する方向に配置されたものである。そして、このような構成からなるものにおいても上記と同様に支持板１１の直線部１１ｂ、１１ｃにそれぞれ整列状態で形成された舌片２４、２５を下方に折り曲げて通風孔２０、２１を形成し、その折り曲げ線２４ａ、２５ａは上記ＰＣ本体１の前方稜線１ｅと略平行になるように配置され、その舌片２４、２５の先端はＰＣ本体１の前方に向いている。
【００６６】
上記の構成によっても光ディスク６の回転によって発生する通風孔２０、２１を通る空気の対流により光ピックアップ１０、半導体レーザ素子１５の冷却が行われることは各実施例で説明したものと同様であり、また使用者の目視方向、すなわち矢印Ｑ方向からは舌片２４、２５によって光ディスクドライブユニット５の内部が見えないようになることは上記のものと同様で、品位の良好な製品が得られるものである。
【００６７】
（実施例１２）
次に、図１７、図１８を用いて実施例１２について説明する。この実施例１２において、上記各実施例の構成と同一構成部分には同一符号を附し、その説明は省略する。この実施例１２に係るＰＣ本体１は光ディスクドライブユニット５がそのＰＣ本体１の右側面に設けられた開口１ｆから矢印Ｒで示すように移動可能なように装着されており、光ディスク６の着脱に際しては光ディスクドライブユニット５がＰＣ本体１から右側方に突出移動され、そして光ディスク６を装着した後、その光ディスクドライブユニット５をＰＣ本体１方向に移動させて収納するようにしたものである。
【００６８】
この実施例１２においても上記実施例８から実施例１１と同様に、支持板１１の直線部１１ｂ、１１ｃにそれぞれ整列状態で形成された舌片２４、２５を下方に折り曲げて複数の通風孔２０、２１を形成し、その折り曲げ線２４ａ、２５ａは上記ＰＣ本体１の前方稜線１ｅと略平行な光ディスクドライブユニット５の前方稜線５ａに対して略平行になるように配置され、その舌片２４、２５の先端はＰＣ本体１の前方に向いている。
【００６９】
上記の構成によっても光ディスク６の回転によって発生する通風孔２０、２１を通る空気の対流により光ピックアップ１０、半導体レーザ素子１５の冷却が行われることは各実施例で説明したものと同様であり、また使用者の目視方向、すなわち矢印Ｑ方向からは舌片２４、２５によって光ディスクドライブユニット５の内部が見えないようになることは上記のものと同様で、品位の良好な製品が得られる。
【００７０】
なお、上記複数の通風孔２０、２１、舌片２４、２５の形状は、実施例８から１０に掲げた形状に限られるものではなく、例えば円形、楕円形、半円形、溝状、多角形等、その他の形状であってもよく、また、これらの組み合わせからなる形状であってもよい。さらに、その数についても複数に限るものではなく、１つであってもよく、特定されない。
【００７１】
（実施例１３）
図１９は本発明の実施例１３に係るＰＣ本体１に内蔵された光ディスクドライブユニット部を示し、図２０は同支持板１１部示す。この実施例１３において上記各実施例に掲げたものと同一構成部分には同一符号を附してその説明は省略する。
【００７２】
光ディスクドライブユニット５の支持板１１の直線部１１ｂ、１１ｃと光ピックアップ１０との間（支持板１１の裏面側）にはその直線部１１ｂ、１１ｃに設けられた複数個の通風孔２０、２１を開閉可能な開閉板（開閉手段）２６、２７がその直線部１１ｂ、１１ｃの長手方向に移動可能な状態で当該直線部１１ｂ、１１ｃに支持（支持機構は省略）されている。この開閉板２６、２７にはそれぞれ方形状の通風孔２０、２１の大きさよりもやや大きく、かつ通風孔２０、２１の数と同じ数の方形状の開閉部２８、２９がそれぞれ形成されており、通常はこの開閉板２６、２７はその連結部３０に接続されたバネ３１により矢印Ｘ方向に附勢された状態で直線部１１ｂ、１１ｃに設けられた位置決め部材（図示せず）に当接し、位置決めされている。前記開閉板２６、２７がバネ３１により矢印Ｘ方向に附勢されて位置決めされている状態ではそれぞれ開閉部２８、２９は通風孔２０、２１を開放している。そして、前記連結部３０に連結されたプランジャー３２に通電されると、その通電期間のみプランジャー３２はバネ３１に抗して開閉板２６、２７を矢印Ｘとは逆方向に移動させ、これにより開閉部２８、２９は支持板１１の通風孔２０、２１を閉じるように構成されている。
【００７３】
前記プランジャー３２はＰＣ本体１に備えられたマイクロスイッチ３３の操作部３３ａが光ディスクドライブユニット５部の開閉蓋４の前方内側に設けられた補強用リブ４ａにより操作されるようになっており、開閉蓋４が開けられた時、その補強用リブ４ａによる操作部３３ａの操作が解かれることによって前記プランジャー３２に通電される。一方、開閉蓋４が閉じられると、補強用リブ４ａにより操作部３３ａが操作されてプランジャー３２への通電が断たれるように構成されている。したがって支持板１１の通風孔２０、２１は前記開閉蓋４の開閉に連動してその開閉蓋４が開けられると前記開閉板２６、２７の開閉部２８、２９により閉じられ、また、開閉蓋４が閉じられると開閉部２８、２９がバネ３１の力により後退移動して開けられる。
【００７４】
上記のような構成によれば、光ディスクドライブユニット５部の開閉蓋４が開けられた時、支持板１１の通風孔２０、２１は閉じられることから、光ディスク６の着脱時にＰＣ本体１の使用者から各通風孔２０、２１を通して光ディスクドライブユニット５の内部が自動的に遮蔽状態となるため、品位の一層良好な製品が得られるものである。しかも開閉蓋４を閉じれば通風孔２０、２１は開放されるため、上記の各実施例と同様に光ディスク６の回転によりその光ディスク６と支持板１１との間の気圧が低下し、その結果支持板１１の下側の空気が各通風孔２０、２１を通って光ディスク６側に流れ、光ピックアップ１０の周辺の高温空気が強制対流して光ピックアップ１０、半導体レーザ素子１５の効果的な放熱が行われる。
【００７５】
なお、上記のように開閉蓋４の開放先端側、すなわち上記の例のように前方側にてマイクロスイッチ３３が操作されるようにすることによって、開閉蓋４を開く開動作の初期で通風孔２０、２１が閉じられるため、その後開閉蓋４の開放動作中も含めて操作者からは光ディスクドライブユニット５の内部が見えないようになり、また、開閉蓋４を閉じる場合においてはその開閉蓋４が閉じられる後期の動作で通風孔２０、２１が開けられるため、開閉蓋４が閉じられる途中でも光ディスクドライブユニット５の内部が見えることはなく、したがって、より一層品位のよい製品が得られるものである。
【００７６】
（実施例１４）
図２１は本発明の実施例１４に係る支持板部を示すもので、支持板１１の直線部１１ｂ、１１ｃにはそれぞれ台形状の通風孔２０、２１が１つづつ設けられており、かつ支持板１１の裏面側には光ディスクドライブユニット５のターンテーブル７と同軸のモータ９部を支点に支持された回動可能な略Ｕ字状の開閉部材（開閉手段）３４が設けられている。前記開閉部材３４は通常状態ではバネ３５により矢印Ｙ方向に附勢された状態で直線部１１ｃに設けられた位置決め部材３６に当接し、位置決めされている。
【００７７】
前記開閉部材３４がバネ３５により矢印Ｙ方向に附勢されて位置決めされている状態では開閉部材３４の開閉部３４ａ、３４ｂは通風孔２０、２１を開放し、かつこの開閉部材３４に連結されたプランジャー３２に通電されると、その通電期間のみプランジャー３２はバネ３５に抗して開閉部材３４を矢印Ｙとは逆方向に移動させ、これにより開閉部３４ａ、３４ｂは支持板１１の通風孔２０、２１を閉じるように構成されている。
【００７８】
そして、上記実施例１３にて説明したものと同様に、前記プランジャー３２はＰＣ本体１に備えられたマイクロスイッチ３３の操作部３３ａが光ディスクドライブユニット５部の開閉蓋４が開けられた時、その開閉蓋４の前方内側に設けられた補強用リブ４ａにより操作されることによって通電され、開閉蓋４が閉じられると、プランジャー３２への通電が断たれるように構成されている。したがって支持板１１の通風孔２０、２１は前記開閉蓋４の開閉に連動してその開閉蓋４が開けられると前記開閉部材３４の開閉部３４ａ、３４ｂにより閉じられ、また、開閉蓋４が閉じられるとバネ３５の力により開閉部３４ａ、３４ｂが回動して開けられる。
【００７９】
上記のような構成によれば、上記実施例１３と同様に、光ディスクドライブユニット５部の開閉蓋４が開けられた時、支持板１１の通風孔２０、２１は閉じられることから、光ディスク６の着脱時にＰＣ本体１の使用者から各通風孔２０、２１を通して光ディスクドライブユニット５の内部が自動的に遮蔽状態となるため、品位のよい製品が得られるものである。しかも開閉蓋４を閉じれば通風孔２０、２１は開放されるため、光ディスク６の回転によりその光ディスク６と支持板１１との間の気圧が低下し、その結果支持板１１の下側の空気が各通風孔２０、２１を通って光ディスク６側に流れ、光ピックアップ１０の周辺の高温空気が強制対流して光ピックアップ１０、半導体レーザ素子１５の効果的な放熱が行われる。
【００８０】
なお、上記実施例１４においても実施例１３と同様に、開閉蓋４の開放初期に通風孔２０、２１が閉じられ、また開閉蓋４が閉じられる動作の後期に通風孔２０、２１が開けられることから、この実施例においても、より一層品位のよい製品を得ることができる。
【００８１】
上記の実施例１３及び１４においても、通風孔２０、２１の形状は図示した形状に限られるものではなく、例えば円形、楕円形、半円形、溝状、多角形等、その他の形状であってもよく、またこれらの組み合わせからなる形状であってもよく、また通風孔は支持板１１の一方の直線部にのみ設けてもよく、さらにその通風孔の数は複数個に限らず、１つであってもよい。
【００８２】
また、実施例１３及び実施例１４はＰＣ本体１の開閉蓋４の開閉動作に連動してプランジャーとバネからなる移動手段により開閉部が移動し、その開閉蓋の開状態では前記開閉部は通風孔を閉じ、開閉蓋の閉状態では前記開閉部は通風孔を開くように移動されるように構成したが、これは上記実施例１２で説明した方式のように、光ディスク６の着脱時にＰＣ本体１から光ディスクドライブユニット５を突出移動させる形式においても適用することができるものであり、この場合は光ディスクドライブユニット５のＰＣ本体１からの突出移動動作の開始時に、例えばその光ディスクドライブユニット５の移動によってスイッチが操作されてプランジヤーの動作で開閉部が移動して通風孔を閉じ、また、光ディスクドライブユニット５のＰＣ本体１に収納される収納移動動作の終了時にスイッチの操作が解かれてプランジヤーへの通電が停止し、バネの力で開閉部が元の位置に移動して通風孔が開けられるようにすればよい。
【００８３】
さらに、上記実施例１３及び実施例１４において、開閉手段である開閉板２６、２７及び開閉部材３４は支持板１１の上方、すなわち支持板１１と光ディスク６との間に位置するように配置しても同様である。
【００８４】
なお、上記開閉蓋４の開閉動作により支持板の通風孔を開閉する機構や装置、また、光ディスクドライブユニット５の移動動作により支持板の通風孔を開閉する機構やその移動手段、また装置は上述した機構や装置に限られるものではなく、他の機構や装置によって実現しても同様である。
【００８５】
ここで、上述の各実施例において、支持板１１の直線部１１ｂ及びまたは１１ｃに設ける通風孔２０、２１は、光ピックアップ１０が光ディスク６への記録再生のためにその光ディスク６の半径方向に移動する移動距離に略対応する範囲に設けることが望ましく、このように光ピックアップ１０が移動する移動距離に略対応する範囲に設けることにより、光ピックアップ１０の位置が変化しても通風孔を通して対流する空気の流れが偏ることがないため、その光ピックアップ１０、半導体レーザ素子１５を効果的に放熱冷却することができ、したがって効率のよい光ピックアップの放熱冷却が行われるものである。もちろん、通風孔２０、２１を光ピックアップ１０が移動する移動距離の一部に対応する範囲に設けてもよい。
【００８６】
また、上記の各実施例では、電子機器としてパーソナルコンピュータを例にして説明したが、これは他の電子機器、例えばパーソナルコンピュータに接続して使用する光学式情報記録再生装置や画像あるいは音声等の記録再生に使用される高密度光情報記録再生装置等においても同様に適用される。
【産業上の利用可能性】
【００８７】
本発明は、光学式記録媒体の大容量化や高速記録を可能とする光学式情報記録再生装置において、光ピックアップから発生する熱を簡単な構成により効果的に放熱することができるため、パーソナルコンピュータや、そのパーソナルコンピュータに接続して使用する光学式情報記録再生装置、また、画像あるいは音声等の記録再生に使用される高密度光情報記録再生装置等に利用できる。
【図面の簡単な説明】
【００８８】
【図１】本発明の実施例１に係るパーソナルコンピュータの概略斜視図
【図２】本発明の実施例１に係る開閉蓋を開けた状態のパーソナルコンピュータの概略斜視図
【図３】本発明の実施例１に係る光ディスクドライブユニット部の概略断面図
【図４】同光ディスクドライブユニットの支持板部を示す上面図
【図５】同光ディスクドライブユニットの光ピックアップの概略断面図
【図６】本発明の実施例２に係る支持板部の上面図
【図７】本発明の実施例３に係る支持板部の上面図
【図８】本発明の実施例４に係る支持板部の上面図
【図９】本発明の実施例５に係る支持板部の上面図
【図１０】本発明の実施例６に係る支持板部の上面図
【図１１】本発明の実施例７に係る光ディスクドライブユニット部の概略断面図
【図１２】本発明の実施例８に係る光ディスクドライブユニット部の概略上面図
【図１３】本発明の実施例８に係る支持板部の概略断面図
【図１４】本発明の実施例９に係る支持板部の上面図
【図１５】本発明の実施例１０に係る支持板部の上面図
【図１６】本発明の実施例１１に係る光ディスクドライブユニット部の概略上面図
【図１７】本発明の実施例１２に係るパーソナルコンピュータの概略斜視図
【図１８】本発明の実施例１２に係る光ディスクドライブユニット部の概略上面図
【図１９】本発明の実施例１３に係る光ディスクドライブユニット部の概略断面図
【図２０】本発明の実施例１３に係る支持板部の概略下面図
【図２１】本発明の実施例１４に係る支持板部の概略下面図
【符号の説明】
【００８９】
１  パーソナルコンピュータ本体                                                
２  表示部
４  開閉蓋
５  光ディスクドライブユニット
６  光ディスク
７  ターンテーブル
８  ディスクチャック
９  モータ
１０  光ピックアップ
１１  支持板
１１ｂ、１１ｃ  直線部
１２、１３  シャフト
１５  半導体レーザ素子
１６  光学ユニット部
２０、２１  通風孔
２２、２３  突部
２４、２５  舌片
２４ａ、２５ａ  折り曲げ線
２６、２７  開閉板
２８、２９  開閉部
３１、３５  バネ
３２  プランジャー
３３  マイクロスイッチ
３４  開閉部材
３４ａ、３４ｂ  開閉部
【図１】
2005310192.tif 000003
【図２】
2005310192.tif 000004
【図３】
2005310192.tif 000005
【図４】
2005310192.tif 000006
【図５】
2005310192.tif 000007
【図６】
2005310192.tif 000008
【図７】
2005310192.tif 000009
【図８】
2005310192.tif 000010
【図９】
2005310192.tif 000011
【図１０】
2005310192.tif 000012
【図１１】
2005310192.tif 000013
【図１２】
2005310192.tif 000014
【図１３】
2005310192.tif 000015
【図１４】
2005310192.tif 000016
【図１５】
2005310192.tif 000017
【図１６】
2005310192.tif 000018
【図１７】
2005310192.tif 000019
【図１８】
2005310192.tif 000020
【図１９】
2005310192.tif 000021
【図２０】
2005310192.tif 000022
【図２１】
2005310192.tif 000023